(57)【特許請求の範囲】
【請求項１】
駆動源となる回転電機と、前記回転電機に電力を供給するための複数の蓄電装置と、外部電源を用いて前記複数の蓄電装置を充電するための充電装置とを含む車両に搭載された車両用制御装置であって、前記複数の蓄電装置は、並列に接続され、
前記車両用制御装置は、
ブレーキペダルと、前記外部電源と前記充電装置を接続するための接続端子に取り付けられた操作部材と、アクセルペダルと、ステアリングホイールとのうちのいずれかへの操作に基づく前記車両のユーザーの指令を入力するための入力部と、
前記外部電源と前記充電装置とが接続された場合に、前記複数の蓄電装置の残容量が満充電状態になるように前記複数の蓄電装置を充電するための第１充電制御を実行し、前記外部電源と前記充電装置とが接続された場合に加えて、前記ユーザーによって第２充電制御を実行するための指令が前記入力部に入力された場合に、前記第１充電制御に代えて前記第２充電制御を実行するための制御部とを含み、
前記第２充電制御は、前記外部電源を用いて前記複数の蓄電装置の残容量の各々を前記満充電状態に対応する残容量の上限値よりも低いしきい値になるまで前記複数の蓄電装置を充電するための充電制御である、車両用制御装置。
【請求項２】
前記制御部は、前記外部電源と前記充電装置が接続された場合に加えて、前記第２充電制御を実行するための指令が前記入力部に入力された場合に、前記外部電源を用いて前記複数の蓄電装置のうちの第１蓄電装置の充電を開始し、前記第１蓄電装置の残容量が前記しきい値以上になる場合に、前記第１蓄電装置と異なる第２蓄電装置の残容量が前記しきい値以上になるまで充電する、請求項１に記載の車両用制御装置。
【請求項３】
駆動源となる回転電機と、前記回転電機に電力を供給するための複数の蓄電装置と、外部電源を用いて前記複数の蓄電装置を充電するための充電装置とを含む車両に搭載された車両用制御装置であって、前記複数の蓄電装置は、並列に接続され、
前記車両用制御装置は、
ブレーキペダルと、前記外部電源と前記充電装置を接続するための接続端子に取り付けられた操作部材と、空調装置の操作部材と、ナビゲーションシステムの操作部材と、オーディオシステムの操作部材と、アクセルペダルと、ステアリングホイールとのうちのいずれかへの操作に基づく前記車両のユーザーの指令を入力するための入力部と、
前記外部電源と前記充電装置とが接続された場合に、前記複数の蓄電装置の残容量が満充電状態になるように前記複数の蓄電装置を充電するための第１充電制御を実行し、前記外部電源と前記充電装置とが接続された場合に加えて、前記ユーザーによって第２充電制御を実行するための指令が前記入力部に入力された場合に、前記第１充電制御に代えて前記第２充電制御を実行するための制御部とを含み、
前記第２充電制御は、前記外部電源を用いて前記複数の蓄電装置の残容量の各々を前記満充電状態に対応する残容量の上限値よりも低いしきい値になるまで前記複数の蓄電装置を充電するための充電制御であって、
前記入力部は、
前記ブレーキペダルと、
前記ブレーキペダルの操作量を検出するための検出部とを含み、
前記制御部は、前記外部電源と前記充電装置が接続された場合に加えて、前記検出部による検出結果に基づいて予め定められた期間における前記ブレーキペダルの踏込みと踏込みの解除とを繰返す回数が予め定められた回数となる場合に、前記第２充電制御を実行する、車両用制御装置。
【請求項４】
駆動源となる回転電機と、前記回転電機に電力を供給するための複数の蓄電装置と、外部電源を用いて前記複数の蓄電装置を充電するための充電装置とを含む車両に搭載された車両用制御装置であって、前記複数の蓄電装置は、並列に接続され、
前記車両用制御装置は、
ブレーキペダルと、前記外部電源と前記充電装置を接続するための接続端子に取り付けられた操作部材と、空調装置の操作部材と、ナビゲーションシステムの操作部材と、オーディオシステムの操作部材と、アクセルペダルと、ステアリングホイールとのうちのいずれかへの操作に基づく前記車両のユーザーの指令を入力するための入力部と、
前記外部電源と前記充電装置とが接続された場合に、前記複数の蓄電装置の残容量が満充電状態になるように前記複数の蓄電装置を充電するための第１充電制御を実行し、前記外部電源と前記充電装置とが接続された場合に加えて、前記ユーザーによって第２充電制御を実行するための指令が前記入力部に入力された場合に、前記第１充電制御に代えて前記第２充電制御を実行するための制御部とを含み、
前記第２充電制御は、前記外部電源を用いて前記複数の蓄電装置の残容量の各々を前記満充電状態に対応する残容量の上限値よりも低いしきい値になるまで前記複数の蓄電装置を充電するための充電制御であって、
前記車両には、前記接続端子が取り付けられ、
前記入力部は、
前記接続端子に設けられ、前記外部電源と前記充電装置との接続のロックを解除するためのボタンと、
前記ボタンが操作されたか否かを検出するための検出部とを含み、
前記制御部は、前記外部電源と前記充電装置が接続された場合に加えて、前記検出部による検出結果に基づいて予め定められた期間における前記ボタンへの操作回数が予め定められた回数となる場合に、前記第２充電制御を実行する、車両用制御装置。
【請求項５】
前記第２充電制御は、前記車両の工場出荷時に実行される、請求項１に記載の車両用制御装置。
【請求項６】
前記しきい値は、前記複数の蓄電装置を正常に充電できるかどうかを確認するために必要な時間が経過するまで充電を継続した場合に充電される充電量である、請求項１〜５のいずれかに記載の車両用制御装置。
【請求項７】
駆動源となる回転電機と、前記回転電機に電力を供給するための複数の蓄電装置と、外部電源を用いて前記複数の蓄電装置を充電するための充電装置とを含む車両の車両用制御方法であって、前記複数の蓄電装置は、並列に接続され、
前記車両用制御方法は、
ブレーキペダルと、前記外部電源と前記充電装置を接続するための接続端子に取り付けられた操作部材と、アクセルペダルと、ステアリングホイールとのうちのいずれかへの操作に基づく前記車両のユーザーの指令を受けるステップと、
前記外部電源と前記充電装置とが接続された場合に、前記複数の蓄電装置の残容量が満充電状態になるように前記複数の蓄電装置を充電するための第１充電制御を実行し、前記外部電源と前記充電装置とが接続された場合に加えて、第２充電制御を実行するための前記ユーザーの指令を受けた場合に、前記第２充電制御を実行するステップとを含み、
前記第２充電制御は、前記外部電源を用いて前記複数の蓄電装置の残容量の各々を前記満充電状態に対応する残容量の上限値よりも低いしきい値になるまで前記複数の蓄電装置を充電するための充電制御である、車両用制御方法。
【発明の詳細な説明】
【技術分野】
【０００１】
本発明は、外部電源を用いた充電が可能な電池を搭載した車両の制御に関し、特に車両に搭載された電池に対して実行される外部電源を用いた充電制御に関する。
【背景技術】
【０００２】
従来、環境問題対策の１つとして、モータからの駆動力により走行するハイブリッド車、燃料電池車、電気自動車などが注目されている。このような車両においては、モータに電力を供給するための電池が搭載される。しかしながら、このような電池の残容量が高い状態で長時間放置する場合、電池の劣化が促進するという問題がある。【０００３】
このような問題に鑑みて、特開２００６−３０４３９３号公報（特許文献１）は、特性の異なる複数の電池を備える電源装置において、電池の特性に応じて電池の状態をより良好な状態として電池の劣化を抑制する電源装置を開示する。この電源装置は、外部から電力の供給を受けて外部の電力消費機器に電力を供給する電源装置であって、第１の特性を有する充放電可能な第１電池と、第１の特性とは異なる第２の特性を有する充放電可能な第２電池と、第１電池が接続された第１電圧系の電圧である第１電圧の調整と第２電池が接続された第２電圧系の電圧である第２電圧の調整とが可能な電圧調整手段と、第１電池の状態を検出する第１状態検出手段と、外部からの電力の供給を受けていないときには、第１状態検出手段により検出された第１電池の状態に基づいて第１電池の状態を良好な状態にするために第１電池と第２電池との間で電力の授受が行なわれるよう電圧調整手段を制御する制御手段と、を備える。上述した公報に開示された電源装置によって、電池の状態をより良好な状態とすることができる。
【先行技術文献】
【特許文献】
【０００４】
【特許文献１】特開２００６−３０４３９３号公報
【発明の概要】
【発明が解決しようとする課題】
【０００５】
ところで、外部電源を用いて車両に搭載された電池が満充電状態になるまで充電される場合、充電後に電池の状態が満充電状態のまま放置されるという問題がある。たとえば、利用者が充電後に長期間車両を運転しない場合や、車両の工場出荷段階で充電された後に輸送等により出荷されてから利用者に届くまで長期間を要する場合、満充電状態のまま長時間放置されるため電池の劣化が促進する可能性がある。【０００６】
上述の公報に開示された電源装置においては、このような問題について何ら考慮されておらず解決することはできない。【０００７】
本発明は、上述した課題を解決するためになされたものであって、その目的は、車両に搭載された電池の劣化の促進を抑制する車両用制御装置および車両用制御方法を提供することである。
【課題を解決するための手段】
【０００８】
この発明のある局面に係る車両用制御装置は、駆動源となる回転電機と、回転電機に電力を供給するための複数の蓄電装置と、外部電源を用いて複数の蓄電装置を充電するための充電装置とを含む車両に搭載された車両用制御装置である。複数の蓄電装置は、並列に接続される。この車両用制御装置は、指令を入力するための入力部と、外部電源と充電装置とが接続された場合に、複数の蓄電装置の残容量が満充電状態になるように複数の蓄電装置を充電するための第１充電制御を実行し、外部電源と充電装置とが接続された場合に加えて、第２充電制御を実行するための指令が入力部に入力された場合に、第１充電制御に代えて第２充電制御を実行するための制御部とを含む。第２充電制御は、外部電源を用いて複数の蓄電装置の残容量の各々を満充電状態に対応する残容量の上限値よりも低いしきい値になるまで複数の蓄電装置を充電するための充電制御である。【０００９】
好ましくは、制御部は、外部電源と充電装置が接続された場合に加えて、第２充電制御を実行するための指令が入力部に入力された場合に、外部電源を用いて複数の蓄電装置のうちの第１蓄電装置の充電を開始し、第１蓄電装置の残容量がしきい値以上になる場合に、第１蓄電装置と異なる第２蓄電装置の残容量がしきい値以上になるまで充電する。【００１０】
さらに好ましくは、入力部は、ブレーキペダルと、ブレーキペダルの操作量を検出するための検出部とを含む。制御部は、外部電源と充電装置が接続された場合に加えて、検出部による検出結果に基づいて予め定められた期間におけるブレーキペダルの踏込みと踏込みの解除とを繰返す回数が予め定められた回数となる場合に、第２充電制御を実行する。【００１１】
さらに好ましくは、車両には、外部電源と充電装置を接続するための接続端子が取り付けられる。入力部は、接続端子に設けられ、外部電源と充電装置との接続のロックを解除するためのボタンと、ボタンが操作されたか否かを検出するための検出部とを含む。制御部は、外部電源と充電装置が接続された場合に加えて、検出部による検出結果に基づいて予め定められた期間におけるボタンへの操作回数が予め定められた回数となる場合に、第２充電制御を実行する。【００１２】
さらに好ましくは、第２充電制御は、車両の工場出荷時に実行される。
さらに好ましくは、しきい値は、車両の保管期間に車両に搭載された電気機器において消費される第１電力と、保管期間に複数の蓄電装置において自己放電によって消費される第２電力とを確保するための充電量である。【００１３】
さらに好ましくは、しきい値は、第１電力と、第２電力とに加えて、工場出荷時に車両を移動させるために必要な第３電力を確保するための充電量である。【００１４】
さらに好ましくは、しきい値は、複数の蓄電装置を正常に充電できるかどうかを確認するために必要な時間が経過するまで充電を継続した場合に充電される充電量である。【００１５】
この発明の他の局面に係る車両用制御方法は、駆動源となる回転電機と、回転電機に電力を供給するための複数の蓄電装置と、外部電源を用いて複数の蓄電装置を充電するための充電装置とを含む車両の車両用制御方法である。複数の蓄電装置は、並列に接続される。この車両用制御方法は、指令を受けるステップと、外部電源と充電装置とが接続された場合に、複数の蓄電装置の残容量が満充電状態になるように複数の蓄電装置を充電するための第１充電制御を実行し、外部電源と充電装置とが接続された場合に加えて、第２充電制御を実行するための指令を受けた場合に、第２充電制御を実行するステップとを含む。第２充電制御は、外部電源を用いて複数の蓄電装置の残容量の各々を満充電状態に対応する残容量の上限値よりも低いしきい値になるまで複数の蓄電装置を充電するための充電制御である。
【発明の効果】
【００１６】
この発明によると、外部電源と充電装置とが接続された場合であって、かつ、第２充電制御を実行するための指令を受けた場合に、外部電源を用いて複数の蓄電装置のＳＯＣが満充電状態に対応するＳＯＣの上限値よりも低いしきい値になるまで充電する第２充電制御を実行することによって、充電完了後に満充電状態で車両が長期間放置された場合と比較して、電池の劣化を抑制することができる。さらに、車両に搭載された電池をすべての満充電状態になるように充電する場合よりも充電を早期に完了させることができる。したがって、車両に搭載された電池の劣化の促進を抑制する車両用制御装置および車両用制御方法を提供することができる。
【図面の簡単な説明】
【００１７】
【図１】本実施の形態に係る車両用制御装置が搭載されたハイブリッド車両の全体ブロック図である。
【図２】外部電源を用いてすべての電池を満充電状態になるまで充電する場合のＳＯＣの変化を示すタイミングチャートである。
【図３】本実施の形態に係る車両用制御装置であるＥＣＵの機能ブロック図である。
【図４】本実施の形態に係る車両用制御装置であるＥＣＵで実行されるプログラムの制御構造を示すフローチャートである。
【図５】本実施の形態に係る車両用制御装置であるＥＣＵの動作を示すタイミングチャートである。
【図６】本発明が適用可能なハイブリッド車両の全体ブロック図である。
【発明を実施するための形態】
【００１８】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１９】
図１に示すように、車両１００は、第１モータジェネレータ（以下、ＭＧと記載する）２と、第２ＭＧ４と、第１インバータ１２と、第２インバータ１４と、平滑コンデンサ１６と、第１昇圧コンバータ２２と、第２昇圧コンバータ２４と、第１システムメインリレー（以下、ＳＭＲと記載する）３２と、第２ＳＭＲ３４と、第３ＳＭＲ３６と、メインバッテリ４２と、第１サブバッテリ４４と、第２サブバッテリ４６と、充電装置５０と、動力分割装置５２と、駆動輪５４と、エンジン５６と、制動装置５８と、ＥＣＵ（Electronic  Control  Unit）２００とを含む。
【００２０】
本実施の形態において、車両１００は、ハイブリッド車両であるとして説明するが、特にハイブリッド車両に限定されるものではなく、少なくとも回転電機を駆動源とする車両であればよい。したがって、車両１００は、電気自動車であってもよい。
【００２１】
第１ＭＧ２、第２ＭＧ４およびエンジン５６は、動力分割装置５２に連結される。この車両１００は、エンジン５６および第２ＭＧ４の少なくとも一方の駆動源からの駆動力によって走行する。エンジン５６が発生する動力は、動力分割装置５２によって２経路に分割される。一方は駆動輪５４へ伝達される経路であり、もう一方は第１ＭＧ２へ伝達される経路である。駆動輪５４には、制動装置５８が設けられており、後述するブレーキペダル１１２が踏み込まれることによって、制動装置５８は、駆動輪５４の回転を制限する。
【００２２】
第１ＭＧ２および第２ＭＧ４の各々は、交流回転電機であり、たとえば、永久磁石が埋設されたロータを備える三相交流回転電機である。第１ＭＧ２は、動力分割装置５２によって分割されたエンジン５６の動力を用いて発電する。たとえば、メインバッテリ４２の残容量を示すＳＯＣ（State  of  Charge）が予め定められた値よりも低くなると、エンジン５６が始動して第１ＭＧ２により発電が行なわれ、その発電された電力がメインバッテリ４２に供給される。第１ＭＧ２により発電された電力によってメインバッテリ４２が充電される。
【００２３】
第２ＭＧ４は、第２インバータ１４から供給される電力を用いて駆動力を発生させる。第２ＭＧ４の駆動力は、駆動輪５４に伝達される。なお、車両１００の制動時等には、駆動輪５４により第２ＭＧ４が駆動され、第２ＭＧ４が発電機として作動する。このようにして、第２ＭＧ４は、制動エネルギーを電力に変換する回生ブレーキとして作動する。第２ＭＧ４により発電された電力は、第２インバータに供給される。第２インバータに供給された電力は、第１昇圧コンバータ２２を経由してメインバッテリ４２に供給されたり、あるいは、第２昇圧コンバータ２４を経由して第１サブバッテリ４４または第２サブバッテリ４６に供給されたりする。第２ＭＧ４によって発電された電力によってメインバッテリ４２、第１サブバッテリ４４あるいは第２サブバッテリ４６が充電される。
【００２４】
動力分割装置５２は、サンギヤと、ピニオンギヤと、キャリアと、リングギヤ（いずれも図示せず）とを含む遊星歯車である。ピニオンギヤは、サンギヤおよびリングギヤと係合する。キャリアは、ピニオンギヤを自転可能に支持するとともに、エンジン５６のクランクシャフトに連結される。サンギヤは、第１ＭＧ２の回転軸に連結される。リングギヤは第２ＭＧ４の回転軸に連結される。
【００２５】
第１インバータ１２および第２インバータ１４は、互いに並列して主正母線ＭＰＬおよび主負母線ＭＮＬに接続される。第１インバータ１２は、第１昇圧コンバータ２２または第２昇圧コンバータ２４から供給される直流電力を交流電力に変換して第１ＭＧ２に出力する。第２インバータ１４は、第１昇圧コンバータ２２または第２昇圧コンバータ２４から供給される直流電流を交流電力に変換して第２ＭＧ４に出力する。
【００２６】
さらに、第１インバータ１２は、第１ＭＧ２において発電される交流電力を直流電力に変換して第１昇圧コンバータ２２または第２昇圧コンバータ２４に出力する。第２インバータ１４は、第２ＭＧ４において発電される交流電力を直流電力に変換して第１昇圧コンバータ２２または第２昇圧コンバータ２４に出力する。
【００２７】
なお、第１インバータ１２および第２インバータ１４の各々は、たとえば、三相分のスイッチング素子を含むブリッジ回路から成る。第１インバータ１２は、ＥＣＵ２００からの制御信号ＰＷＩ１に応じてスイッチング動作を行なうことにより第１ＭＧ２を駆動させる。第２インバータ１４は、ＥＣＵ２００からの制御信号ＰＷＩ２に応じてスイッチング動作を行なうことにより第２ＭＧ４を駆動させる。
【００２８】
ＥＣＵ２００には、ブレーキペダルポジションセンサ１１０と、アクセルペダルポジションセンサ１１４と、シフトポジションセンサ１１８と、ステアリングポジションセンサ１２２とが接続される。
【００２９】
ブレーキペダルポジションセンサ１１０は、ブレーキペダル１１２の操作量（すなわち、踏み込み量）を検出する。ブレーキペダルポジションセンサ１１０は、検出されたブレーキペダル１１２の踏み込み量を示す信号をＥＣＵ２００に送信する。なお、ブレーキペダルポジションセンサ１１０に代えてブレーキペダル１１２が踏み込まれた状態（オン状態）であるか、踏込みが解除された状態（オフ状態）であるかを検出するためのスイッチを用いてもよい。
【００３０】
アクセルペダルポジションセンサ１１４は、アクセルペダル１１６の操作量（すなわち、踏み込み量）を検出する。アクセルペダルポジションセンサ１１４は、検出されたアクセルペダル１１６の踏み込み量を示す信号をＥＣＵ２００に送信する。
【００３１】
シフトポジションセンサ１１８は、シフトレバー１２０の位置を検出する。シフトポジションセンサ１１８は、検出されたシフトレバー１２０の位置を示す信号をＥＣＵ２００に送信する。ＥＣＵ２００は、受信したシフトレバー１２０の位置に基づいて現在選択されているシフトポジションを特定する。
【００３２】
ステアリングポジションセンサ１２２は、ステアリングホイール１２４の操作量（すなわち、回転量）を検出する。ステアリングポジションセンサ１２２は、ステアリングホイール１２４の回転量を示す信号をＥＣＵ２００に送信する。
【００３３】
ＥＣＵ２００は、ブレーキペダル１１２の踏み込み量、アクセルペダル１１６の踏み込み量、図示されない各センサの検出信号および走行状況などに基づいて車両要求パワーＰｓを算出し、その算出した車両要求パワーＰｓに基づいて第１ＭＧ２および第２ＭＧ４のトルク目標値および回転数目標値を算出する。ＥＣＵ２００は、第１ＭＧ２および第２ＭＧ４の発生トルクおよび回転数が目標値となるように第１インバータ１２および第２インバータ１４を制御する。
【００３４】
メインバッテリ４２、第１サブバッテリ４４および第２サブバッテリ４６の各々は、再充電可能な直流電源であり、たとえば、ニッケル水素電池やリチウムイオン電池等の二次電池や、大容量キャパシタ等である。
【００３５】
メインバッテリ４２は、第１ＳＭＲ３２を介在して第１昇圧コンバータ２２に接続される。第１サブバッテリ４４は、第２ＳＭＲ３４を介在して第２昇圧コンバータ２４に接続される。第２サブバッテリ４６は、第３ＳＭＲ３６を介在して第２昇圧コンバータ２４に接続される。
【００３６】
なお、本実施の形態においては、メインバッテリ４２に加えて、第１サブバッテリ４４と第２サブバッテリ４６の２つの従属電源を搭載した場合について説明するが、特に、従属電源としては２つに限定されるものではなく、３つ以上の従属電源を有していてもよい。
【００３７】
第１ＳＭＲ３２は、ＥＣＵ２００からの制御信号Ｓ１に基づいて、メインバッテリ４２と第１昇圧コンバータ２２とを電気的に接続する導通状態と、メインバッテリ４２と第１昇圧コンバータ２２とを電気的に遮断する遮断状態とのうちのいずれか一方の状態から他方の状態に切り換える。
【００３８】
第２ＳＭＲ３４は、ＥＵＣ２００からの制御信号Ｓ２に基づいて、第１サブバッテリ４４と第２昇圧コンバータ２４とを電気的に接続する導通状態と、第１サブバッテリ４４と第２昇圧コンバータ２４とを電気的に遮断する遮断状態とのうちのいずれか一方の状態から他方の状態に切り換える。
【００３９】
第３ＳＭＲ３６は、ＥＣＵ２００からの制御信号Ｓ３に基づいて、第２サブバッテリ４６と第２昇圧コンバータ２４とを電気的に接続する導通状態と、第２サブバッテリ４６と第２昇圧コンバータ２４とを電気的に遮断する遮断状態とのうちのいずれか一方の状態から他方の状態に切り換える。
【００４０】
本実施の形態において、ＥＣＵ２００は、第２ＳＭＲ３４および第３ＳＭＲ３６のうちのいずれか一方を導通状態とし、他方を遮断状態となるように第ＳＭＲ３４および第３ＳＭＲ３６に対して制御信号Ｓ２およびＳ３を送信する。
【００４１】
たとえば、第２ＳＭＲ３４が導通状態となり、第３ＳＭＲ３６が遮断状態となる場合、第１サブバッテリ４４と第２昇圧コンバータ２４とが電気的に接続される。そのため、第１サブバッテリ４４の電力が第２昇圧コンバータ２４に供給されることとなる。
【００４２】
また、第３ＳＭＲ３６が導通状態となり、第２ＳＭＲ３４が遮断状態となる場合、第２サブバッテリ４６と第２昇圧コンバータ２４とが電気的に接続される。そのため、第２サブバッテリ４６の電力が第２昇圧コンバータ２４に供給されることとなる。
【００４３】
このように第２ＳＭＲ３４および第３ＳＭＲ３６が制御されることにより第２昇圧コンバータ２４に電力を供給する電源が選択される。
【００４４】
第１昇圧コンバータ２２および第２昇圧コンバータ２４は、互いに並列して主正母線ＭＰＬおよび主負母線ＭＮＬに接続される。第１昇圧コンバータ２２は、ＥＣＵ２００からの制御信号ＰＷＣ１に基づいて、メインバッテリ４２と主正母線ＭＰＬおよび主負母線ＭＮＬとの間で電圧変換を行なう。第２昇圧コンバータ２４は、ＥＣＵ２００からの制御信号ＰＷＣ２に基づいて、第１サブバッテリ４４および第２サブバッテリ４６のいずれかと主正母線ＭＰＬおよび主負母線ＭＮＬとの間で電圧変換を行なう。
【００４５】
平滑コンデンサ１６は、主正母線ＭＰＬと主負母線ＭＮＬとの間に接続され、主正母線ＭＰＬおよび主負母線ＭＮＬに含まれる電力変動成分を低減する。
【００４６】
ＥＣＵ２００には、第１電流センサ８４と、第１電圧センサ８６と、第２電流センサ８８と、第２電圧センサ９０と、第３電流センサ９２と、第３電圧センサ９４とがさらに接続される。
【００４７】
第１電流センサ８４は、メインバッテリ４２から第１昇圧コンバータ２２への電流ＩＢ１を検出し、検出された電流ＩＢ１を示す信号をＥＣＵ２００に送信する。第１電圧センサ８６は、メインバッテリ４２の電圧ＶＢ１を検出し、検出された電圧ＶＢ１を示す信号をＥＣＵ２００に送信する。
【００４８】
ＥＣＵ２００は、第１電流センサ８４によって検出された電流ＩＢ１と、第１電圧センサ８６によって検出された電圧ＶＢ１とに基づいてメインバッテリ４２のＳＯＣを算出する。なお、ＥＣＵ２００は、電流ＩＢ１および電圧ＶＢ１に加えて、メインバッテリ４２の温度に基づいてメインバッテリ４２のＳＯＣを算出するようにしてもよい。メインバッテリ４２の温度は、メインバッテリ４２に設けられた図示しない温度センサによって検出される。また、ＥＣＵ２００は、たとえば、ＯＣＶ（Open  Circuit  Voltage）に基づいてメインバッテリ４２のＳＯＣを算出するようにしてもよいし、あるいは、充電電流と放電電流とに基づいてメインバッテリ４２のＳＯＣを算出するようにしてもよい。
【００４９】
第２電圧センサ９０は、第１サブバッテリ４４の電圧ＶＢ２を検出し、検出された電圧ＶＢ２を示す信号をＥＣＵ２００に送信する。第２電流センサ８８は、第１サブバッテリ４４から第２昇圧コンバータ２４への電流ＩＢ２を検出し、検出された電流ＩＢ２を示す信号をＥＣＵ２００に送信する。
【００５０】
ＥＣＵ２００は、第２電流センサ８８によって検出された電流ＩＢ２と、第２電圧センサ９０によって検出された電圧ＶＢ２とに基づいて第１サブバッテリ４４のＳＯＣを算出する。なお、ＥＣＵ２００は、電流ＩＢ２および電圧ＶＢ２に加えて、第１サブバッテリ４４の温度に基づいて第１サブバッテリ４４のＳＯＣを算出するようにしてもよい。なお、ＳＯＣの算出方法については、上述したとおりであるため、その詳細な説明は繰返さない。
【００５１】
第３電圧センサ９４は、第２サブバッテリ４６の電圧ＶＢ３を検出し、検出された電圧ＶＢ３を示す信号をＥＣＵ２００に送信する。第３電流センサ９２は、第２サブバッテリ４６から第２昇圧コンバータ２４への電流ＩＢ３を検出し、検出された電流ＩＢ３を示す信号をＥＣＵ２００に送信する。
【００５２】
ＥＣＵ２００は、第３電流センサ９２によって検出された電流ＩＢ３と、第３電圧センサ９４によって検出された電圧ＶＢ３とに基づいて第２サブバッテリ４６のＳＯＣを算出する。なお、ＥＣＵ２００は、電流ＩＢ３および電圧ＶＢ３に加えて、第２サブバッテリ４６の温度に基づいて第２サブバッテリ４６のＳＯＣを算出するようにしてもよい。なお、ＳＣＯの算出方法については、上述したとおりであるため、その詳細な説明は繰返さない。
【００５３】
なお、本実施の形態において、第１電流センサ８４、第２電流センサ８８および第３電流センサ９２は、いずれも正極線の電流を検出するものとして説明したが、特にこれに限定されるものではなく、たとえば、負極線の電流を検出するものであってもよい。
【００５４】
ＥＣＵ２００は、第１サブバッテリ４４および第２サブバッテリ４６を順次切り換えて使用するための制御信号Ｓ２、Ｓ３を生成して第２ＳＭＲ３４および第３ＳＭＲ３６に送信する。
【００５５】
たとえば、ＥＣＵ２００は、第２ＳＭＲ３４が導通状態となり、かつ、第３ＳＭＲ３６が遮断状態となることによって第１サブバッテリ４４と第２昇圧コンバータ２４とが電気的に接続されているとき、第１サブバッテリ４４のＳＯＣが予め定められた残容量を示すＳＯＣよりも低下した場合に、導通状態の第２ＳＭＲ３４が遮断状態となり、かつ、遮断状態の第３ＳＭＲ３６が導通状態となるように制御信号Ｓ２、Ｓ３を生成する。
【００５６】
ＥＣＵ２００は、車両要求パワーＰｓに基づいて、第１昇圧コンバータ２２を制御するための制御信号ＰＷＣ１および第２昇圧コンバータ２４を制御するための制御信号ＰＷＣ２を生成する。ＥＣＵ２００は、その生成した制御信号ＰＷＣ１，ＰＷＣ２を第１昇圧コンバータ２２および第２昇圧コンバータ２４のそれぞれに送信し、第１昇圧コンバータ２２および第２昇圧コンバータ２４を制御する。
【００５７】
充電装置５０は、外部電源６０に接続された充電プラグ６２が取り付けられることによって外部電源６０の電力を用いてメインバッテリ４２、第１サブバッテリ４４および第２サブバッテリ４６のうちのいずれか一つを充電する。
【００５８】
充電プラグ６２には、充電装置５０と充電プラグ６２との接続が完了したときに充電装置５０と充電プラグ６２との接続をロックするロック機構と、ロック機構の作動が完了したときに初期位置から予め定められた位置に移動するボタン６８とを含む。利用者は、ボタン６８の位置が初期位置から予め定められた位置に移動していることによってロック機構が正常に作動し、かつ、充電装置５０と充電プラグ６２との接続が完了していることを認識することができる。利用者がボタン６８の位置を予め定められた位置から初期位置に移動させる場合に、ロック機構による充電装置５０と充電プラグ６２との接続のロックが解除される。このとき、利用者は、充電プラグ６２を充電装置５０から取り外すことができる。
【００５９】
また、ボタン６８には、スイッチ６４が取り付けられており、ボタン６８の位置が初期位置から予め定められた位置に移動した場合に、スイッチ６４は、ボタン６８が操作されたことを示す信号ＰＩを充電装置５０を経由してＥＣＵ２００に送信する。スイッチ６４は、ボタン６８の位置が予め定められた位置から初期位置に移動した場合に、信号ＰＩの送信を停止する。なお、スイッチ６４は、ボタン６８の位置が予め定められた位置から初期位置に移動した場合に信号ＰＩをＥＣＵ２００に送信し、ボタン６８の位置が初期位置から予め定められた位置に移動した場合に信号ＰＩの送信を停止するようにしてもよい。
【００６０】
また、充電装置５０には、充電プラグ６２と充電装置５０とが接続されたことを検出するための接続確認センサ６６が設けられる。たとえば、接続確認センサ６６は、充電プラグ６２と充電装置５０とが接続されたことにより導通する電気回路である。接続確認センサ６６は、充電プラグ６２と充電装置５０とが接続されたことを示す信号Ｃ１をＥＣＵ２００に送信する。
【００６１】
外部電源６０は、車両１００の外部に設けられる電源であって、たとえば、商用電源等の交流電源であってもよい。
【００６２】
充電装置５０は、第１サブバッテリ４４および第２サブバッテリ４６の各々に対してリレー３８を介在して並列に接続される。
【００６３】
リレー３８は、ＥＣＵ２００からの制御信号Ｓ４に応じて、充電装置５０と第１サブバッテリ４４あるいは第２サブバッテリ４６とを電気的に接続した導通状態と、充電装置５０と第１サブバッテリ４４あるいは第２サブバッテリ４６とを電気的に遮断した遮断状態とのうちのいずれか一方から他方に切り換える。
【００６４】
以上のような構成を有する車両１００においては、外部電源６０を用いて車両１００に搭載されたメインバッテリ４２、第１サブバッテリ４４および第２サブバッテリ４６が満充電状態になるまで充電される場合、充電完了後に満充電状態のまま放置される可能性がある。たとえば、利用者が充電後に長期間車両１００を運転しない場合や、車両１００の工場出荷段階で充電された後に輸送等により出荷されてから利用者に届くまで長期間を要する場合、満充電状態のまま長時間放置されるため、電池の劣化が促進する可能性がある。なお、工場出荷段階とは、車両１００が工場で製造された後に工場から出荷される段階をいうものとする。
【００６５】
また、車両１００の工場出荷段階において、すべてのバッテリを満充電状態に対応するＳＯＣ（１）まで充電するためには、図２に示すように、まず、時間Ｔ（０）にて、メインバッテリ４２のＳＯＣが満充電状態に対応するＳＯＣの上限値であるＳＯＣ（１）になるように充電が開始される。なお、図２の縦軸は、ＳＯＣを示し、図２の横軸は、時間を示すものとする。
【００６６】
時間Ｔ（１）にて、メインバッテリ４２のＳＯＣがＳＯＣ（１）以上となることによって充電が完了した場合に、第１サブバッテリ４４が満充電状態になるように充電が開始される。
【００６７】
時間Ｔ（２）にて、第１サブバッテリ４４のＳＯＣがＳＯＣ（１）以上となることによって充電が完了した場合に、第２サブバッテリ４６が満充電状態になるように充電が開始される。
【００６８】
時間Ｔ（３）にて、第２サブバッテリ４６のＳＯＣがＳＯＣ（１）以上となることによって充電が完了した場合に、すべてのバッテリへの充電が完了したことになる。
【００６９】
そのため、すべてのバッテリが満充電状態になるように充電する場合には、充電が完了するまでに長い時間を要する場合がある。
【００７０】
そこで、本実施の形態において、ＥＣＵ２００は、外部電源６０と充電装置５０とが接続された場合に、メインバッテリ４２、第１サブバッテリ４４および第２サブバッテリ４６のＳＯＣがＳＯＣ（１）になるように充電するための第１充電制御を実行し、外部電源６０と充電装置５０とが接続された場合に加えて、第２充電制御を実行するための指令が入力部に入力された場合に、第１充電制御に代えて第２充電制御を実行する点に特徴を有する。なお、本実施の形態において、第２充電制御は、車両１００の工場出荷時に実行される充電制御であって、外部電源６０を用いてメインバッテリ４２、第１サブバッテリ４４および第２サブバッテリ４６の各ＳＯＣをＳＯＣ（１）よりも低い出荷用のしきい値ＳＯＣ（２）になるまでを充電するための充電制御である。以下の説明においては、第１充電制御は、満充電制御と記載し、第２充電制御は、出荷用充電制御と記載する。
【００７１】
本実施の形態においては、入力部は、ブレーキペダル１１２と、ブレーキペダルポジションセンサ１１０とであって、ＥＣＵ２００は、外部電源６０と充電装置５０とが接続された場合に加えて、ブレーキペダルポジションセンサ１１０による検出結果に基づいて予め定められた期間におけるブレーキペダル１１２の踏込みと踏込みの解除とを繰返す回数が予め定められた回数となる場合に、出荷用充電制御を実行する。
【００７２】
しきい値ＳＯＣ（２）は、車両１００の出荷時に対応したメインバッテリ４２、第１サブバッテリ４４および第２サブバッテリ４６の充電量である。しきい値ＳＯＣ（２）は、たとえば、車両１００が出荷されてから利用者に届くまでに移動およびエンジンの始動が可能な電力と、保管期間における残容量の低下分（たとえば、自己放電による低下分、あるいは、車両１００のシステム停止中における消費分）を考慮した電力とを確保するための第１充電量である。あるいは、しきい値ＳＯＣ（２）は、メインバッテリ４２、第１サブバッテリ４４および第２サブバッテリ４６を正常に充電できるかどうかをチェックするために必要な時間が経過するまで充電を継続した場合に充電される第２充電量である。あるいは、しきい値ＳＯＣ（２）は、上述の第１充電量と第２充電量とのうちのいずれか大きい方の充電量である。
【００７３】
図３に、本実施の形態に係る車両用制御装置であるＥＣＵ２００の機能ブロック図を示す。ＥＣＵ２００は、接続判定部３００と、実行条件判定部３０２と、出荷用充電制御部３０４と、満充電制御部３０６とを含む。
【００７４】
接続判定部３００は、充電装置５０に充電プラグ６２が接続されているか否かを判定する。具体的には、接続確認センサ６６から充電装置５０に充電プラグ６２が接続されていることを示す信号Ｃ１を受信した場合に、充電装置５０に充電プラグ６２が接続されていると判定する。なお、接続判定部３００は、たとえば、充電装置５０に充電プラグ６２が接続されていると判定された場合に、接続判定フラグをオンするようにしてもよい。
【００７５】
実行条件判定部３０２は、接続判定部３００によって充電装置５０に充電プラグ６２が接続されていると判定された場合に、出荷用充電制御の実行条件が成立するか否かを判定する。出荷用充電制御の実行条件とは、上述したとおり入力部に出荷用充電制御を実行するための指令が入力されたという条件であって、具体的には、予め定められた期間におけるブレーキペダル１１２の踏込と踏込みの解除とを繰返す回数が予め定められた回数であるという条件である。
【００７６】
なお、実行条件判定部３０２は、たとえば、接続判定フラグがオンである場合に実行条件が成立するか否かを判定し、実行条件が成立したと判定された場合に、実行条件判定フラグをオンするようにしてもよい。また、実行条件判定部３０２は、たとえば、充電装置５０に充電プラグ６２が接続されていると判定されてから予め定められた時間が経過するまで実行条件が成立するか否かを判定するようにしてもよいし、あるいは、充電装置５０に充電プラグ６２が接続されていると判定されてから外部電源６０を用いた充電を開始するための操作が行なわれるまで実行条件が成立するか否かを判定するようにしてもよい。
【００７７】
出荷用充電制御部３０４は、実行条件判定部３０２において実行条件が成立したと判定された場合に、出荷用充電制御を実行する。具体的には、出荷用充電制御部３０４は、メインバッテリ４２、第１サブバッテリ４４および第２サブバッテリ４６の各ＳＯＣがいずれも出荷用のＳＯＣのしきい値ＳＯＣ（２）になるまでメインバッテリ４２、第１サブバッテリ４４および第２サブバッテリ４６を充電する。
【００７８】
出荷用のＳＯＣのしきい値ＳＯＣ（２）は、たとえば、満充電状態に対応するＳＯＣ（１）よりも低い値であればよい。また、出荷用のＳＯＣのしきい値ＳＯＣ（２）は、本実施の形態においては、メインバッテリ４２、第１サブバッテリ４４および第２サブバッテリ４６の各々において同一の値であるとして説明するが、特にこれに限定されるものではなく、メインバッテリ４２、第１サブバッテリ４４および第２サブバッテリ４６の各々において異なる値であってもよい。たとえば、メインバッテリ４２、第１サブバッテリ４４および第２サブバッテリ４６のうちのいずれか充電容量が大きいバッテリのしきい値を他のバッテリのしきい値よりも低い値としてもよい。このようにすると、充電容量が大きいバッテリへの充電時間が不必要に長くなることを防止することができる。
【００７９】
出荷用充電制御部３０４は、たとえば、実行条件が成立したと判定された場合に、メインバッテリ４２のＳＯＣが出荷用のＳＯＣのしきい値ＳＯＣ（２）になるまでメインバッテリ４２を充電する。出荷用充電制御部３０４は、充電装置５０が充電プラグ６２に接続されており、かつ、実行条件が成立した場合に、第２ＳＭＲ３４および第３ＳＭＲ３６をいずれも遮断状態を維持しつつ、リレー３８および第１ＳＭＲ３２を遮断状態から導通状態に切り換える。出荷用充電制御部３０４は、第１昇圧コンバータ２２、第２昇圧コンバータ２４および充電装置５０を作動させることによって、外部電源６０から充電装置５０、第２昇圧コンバータ２４および第１昇圧コンバータ２２を経由してメインバッテリ４２に電力を供給する。外部電源６０からメインバッテリ４２に電力が供給されることによって、メインバッテリ４２が充電される。
【００８０】
出荷用充電制御部３０４は、電流ＩＢ１および電圧ＶＢ１等に基づいてメインバッテリ４２のＳＯＣを監視し、メインバッテリ４２のＳＯＣが出荷用のＳＯＣのしきい値ＳＯＣ（２）以上となる場合に、メインバッテリ４２の充電を完了する。このとき、出荷用充電制御部３０４は、第１昇圧コンバータ２２、第２昇圧コンバータ２４および充電装置５０の作動を停止させ、第１ＳＭＲ３２を導通状態から遮断状態になるように切り換える。
【００８１】
出荷用充電制御部３０４は、メインバッテリ４２の充電完了後に第１サブバッテリ４４のＳＯＣが出荷用のＳＯＣのしきい値ＳＯＣ（２）になるまで第１サブバッテリ４４を充電する。
【００８２】
出荷用充電制御部３０４は、第１ＳＭＲ３２および第３ＳＭＲ３６をいずれも遮断状態を維持しつつ、第２ＳＭＲ３４を遮断状態から導通状態に切り換える。出荷用充電制御部３０４は、充電装置５０を作動させることによって、外部電源６０から充電装置５０を経由して第１サブバッテリ４４に供給する。外部電源６０から第１サブバッテリ４４に電力が供給されることによって、第１サブバッテリ４４が充電される。
【００８３】
出荷用充電制御部３０４は、電流ＩＢ２および電圧ＶＢ２等に基づいて第１サブバッテリ４４のＳＯＣを監視し、第１サブバッテリ４４のＳＯＣが出荷用のＳＯＣのしきい値ＳＯＣ（２）以上となる場合に、第１サブバッテリ４４の充電を完了する。このとき、出荷用充電制御部３０４は、充電装置５０の作動を停止させ、第２ＳＭＲ３４を導通状態から遮断状態になるように切り換える。
【００８４】
出荷用充電制御部３０４は、第１サブバッテリ４４の充電完了後に第２サブバッテリ４６のＳＯＣが出荷用のＳＯＣのしきい値ＳＯＣ（２）になるまで第２サブバッテリ４６を充電する。出荷用充電制御部３０４は、第１ＳＭＲ３２および第２ＳＭＲ３４をいずれも遮断状態を維持しつつ、第３ＳＭＲ３６を遮断状態から導通状態に切り換える。出荷用充電制御部３０４は、充電装置５０を作動させることによって、外部電源６０から充電装置５０を経由して第２サブバッテリ４６に供給する。外部電源６０から第２サブバッテリ４６に電力が供給されることによって、第２サブバッテリ４６が充電される。
【００８５】
出荷用充電制御部３０４は、電流ＩＢ３および電圧ＶＢ３等に基づいて第２サブバッテリ４６のＳＯＣを監視し、第２サブバッテリ４６のＳＯＣが出荷用のＳＯＣのしきい値以上となる場合に、第２サブバッテリ４６の充電を完了する。このとき、出荷用充電制御部３０４は、充電装置５０の作動を停止させ、第３ＳＭＲ３６を導通状態から遮断状態になるように切り換える。
【００８６】
なお、出荷用充電制御部３０４は、たとえば、接続判定フラグおよび実行条件判定フラグがいずれもオンされている場合に、出荷用充電制御を実行するようにしてもよい。
【００８７】
また、本実施の形態において、出荷用充電制御部３０４は、メインバッテリ４２の充電が完了した後に、第１サブバッテリ４４の充電を開始し、第１サブバッテリ４４の充電が完了した後に、第２サブバッテリ４６の充電を開始するものとして説明したが、充電を行なう順序については、特にこのような順序に限定されるものではない。
【００８８】
満充電制御部３０６は、実行条件判定部３０２において実行条件が成立していないと判定された場合に、満充電制御を実行する。
【００８９】
なお、満充電制御は、出荷用充電制御と比較して、充電が完了したと判定するためのしきい値が満充電状態に対応するしきい値ＳＯＣ（１）である点のみが異なる。それ以外の充電動作については、出荷用充電制御における充電動作と同様である。そのため、その詳細な説明は繰返さない。
【００９０】
本実施の形態において、接続判定部３００と、実行条件判定部３０２と、出荷用充電制御部３０４と、満充電制御部３０６とは、いずれもＥＣＵ２００のＣＰＵがメモリに記憶されたプログラムを実行することにより実現される、ソフトウェアとして機能するものとして説明するが、ハードウェアにより実現されるようにしてもよい。なお、このようなプログラムは記憶媒体に記録されて車両に搭載される。
【００９１】
図４を参照して、本実施の形態に係る車両用制御装置であるＥＣＵ２００で実行されるプログラムの制御構造について説明する。
【００９２】
ステップ（以下、ステップをＳと記載する）１００にて、ＥＣＵ２００は、充電プラグ６２が接続されたか否かを判定する。充電プラグ６２が接続されたと判定された場合（Ｓ１００にてＹＥＳ）、処理はＳ１０２に移される。もしそうでない場合（Ｓ１００にてＮＯ）、処理はＳ１００に戻される。
【００９３】
Ｓ１０２にて、ＥＣＵ２００は、出荷用充電制御の実行条件が成立するか否かを判定する。出荷用充電制御の実行条件が成立すると判定された場合（Ｓ１０２にてＹＥＳ）、処理はＳ１０４に移される。もしそうでない場合（Ｓ１０２にてＮＯ）、処理はＳ１０６に移される。
【００９４】
Ｓ１０４にて、ＥＣＵ２００は、出荷用充電制御を実行する。Ｓ１０６にて、ＥＣＵ２００は、満充電制御を実行する。なお、出荷用充電制御および満充電制御は、上述したとおりであるため、その詳細な説明は繰返さない。
【００９５】
以上のような構造およびフローチャートに基づく本実施の形態に係る車両用制御装置であるＥＣＵ２００の動作について図５を用いて説明する。
【００９６】
車両１００の出荷段階において、作業者が車両１００に対して充電プラグ６２を取り付けた後に（Ｓ１００にてＹＥＳ）、ブレーキペダル１１２の踏込みと踏込の解除と予め定められた期間内に予め定められた回数だけ行なうことによって実行条件が成立した場合（Ｓ１０２にてＹＥＳ）、時間Ｔ（０）にて、出荷用充電制御が実行される（Ｓ１０４）。
【００９７】
すなわち、まずメインバッテリ４２の充電が開始され、時間Ｔ（４）にて、メインバッテリ４２のＳＯＣが出荷用のＳＯＣのしきい値ＳＯＣ（２）まで上昇した場合に、メインバッテリ４２の充電が完了する。
【００９８】
メインバッテリ４２の充電が完了した後に、第１サブバッテリ４４の充電が開始される。時間Ｔ（５）にて、第１サブバッテリ４４のＳＯＣがしきい値ＳＯＣ（２）まで上昇した場合に、第１サブバッテリ４４の充電が完了する。
【００９９】
第１サブバッテリ４４の充電が完了した後に、第２サブバッテリ４６の充電が開始される。時間Ｔ（６）にて、第２サブバッテリ４６のＳＯＣがＳＯＣ（２）まで上昇した場合に、第２サブバッテリの充電が完了する。時間Ｔ（０）から時間Ｔ（６）までの時間は、満充電制御によってすべてのバッテリの充電が完了するまでの時間（時間Ｔ（０）から時間Ｔ（３）までの時間）よりも短くなる。
【０１００】
一方、充電プラグ６２が取り付けられた後に（Ｓ１００にてＹＥＳ）、実行条件が成立しない場合（Ｓ１０２にてＮＯ）、満充電制御が実行される（Ｓ１０６）。このときのＳＯＣの変化については図２と同様であるため、その詳細な説明は繰返さない。
【０１０１】
以上のようにして、本実施の形態に係る車両用制御装置によると、外部電源と充電装置とが接続された場合であって、かつ、入力部において第２充電制御を実行するための指令を受けた場合に、外部電源を用いてメインバッテリ、第１サブバッテリおよび第２サブバッテリのＳＯＣが満充電状態に対応するＳＯＣの上限値ＳＯＣ（１）よりも低いしきい値ＳＯＣ（２）になるまで充電することによって、充電が完了した後に満充電状態で車両を長期間放置した場合と比較して、電池の劣化を抑制することができる。さらに、車両に搭載された電池をすべての満充電状態になるように充電する場合よりも充電を早期に完了させることができる。したがって、車両に搭載された電池の劣化の促進を抑制する車両用制御装置および車両用制御方法を提供することができる。
【０１０２】
また、第２充電制御は、特に車両１００の工場出荷時に実行されることに特に限定されるものではない。たとえば、利用者が実行条件を成立させるようにブレーキペダルを操作することによって、外部電源を用いた充電時に、すべてのバッテリのＳＯＣを満充電状態に対応するＳＯＣの上限値ＳＯＣ（１）よりも低いしきい値ＳＯＣ（２）まで充電するようにしてもよい。このようにすると、たとえば、利用者が長期間車両を放置する予定がある場合などに、メインバッテリ、第１サブバッテリおよび第２サブバッテリのすべてのバッテリが満充電状態のまま長期間放置されることを回避することができる。そのため、電池の劣化の促進を防止することができる。この場合、利用者が予定している放置時間において、車両１００のシステムが消費する電力と、自己放電による電力とを確保し、かつ、電池の劣化が抑制されるＳＯＣが維持されるようにしきい値ＳＯＣ（２）が設定されることが望ましい。
【０１０３】
あるいは、出荷用充電制御と、利用者が車両１００を長期間放置する際に実行する充電制御とでしきい値ＳＯＣ（２）を異なるようにしてもよいし、あるいは、両制御の実行条件を異なるようにしてもよい。たとえば、出荷用充電制御は、充電プラグ６２のボタン６８の操作回数が予め定められた回数以上を実行条件とし、利用者が車両１００を長期間放置するための充電制御は、ブレーキペダル１１２の操作回数が予め定められた回数以上を実行条件としてもよい。出荷用充電制御のしきい値および車両１００を長期間放置するための充電制御のしきい値の設定については上述したとおりであるため、その詳細な説明は繰返さない。
【０１０４】
本実施の形態においては、入力部としては、ブレーキペダルポジションセンサ１１０と、ブレーキペダル１１２とを含むとして説明したが、特にこれに限定されるものではない。たとえば、入力部は、充電プラグ６２のボタン６８と、スイッチ６４とを含むものとし、ＥＣＵ２００は、外部電源６０と充電装置５０とが接続された場合であって、予め定められた期間におけるスイッチ６４のオンとオフとを繰返す回数（ＰＩ信号を受信する回数）が予め定められた回数となる場合に、第２充電制御を実行するようにしてもよい。
【０１０５】
このようにすると、電池の劣化の抑制、充電の完了の早期化ばかりでなく、工場内で作業者が車両１００に乗り込むことなく、車両１００の外側から出荷用充電制御を実行するための操作を実行することができるため、作業性の効率化が図れる。
【０１０６】
あるいは、入力部としては、空調装置、ナビゲーションシステムおよびオーディオシステムのボタン等の操作部材と、ボタンが押されたか否かを検出して、検出結果を示す信号をＥＣＵ２００に送信するスイッチを含むとしてもよい。
【０１０７】
あるいは、入力部としては、アクセルペダルポジションセンサ１１４と、アクセルペダル１１６とを含むとしてもよいし、シフトポジションセンサ１１８と、シフトレバー１２０とを含むとしてもよいし、ステアリングポジションセンサ１２２と、ステアリングホイール１２４とを含むとしてもよい。
【０１０８】
さらに、車両１００の構成としては、図１に示される構成に特に限定されるものではなく、たとえば、図６に示される構成であってもよい。
【０１０９】
図６に示される車両１００は、図１に示される車両１００の構成と比較して、充電装置５０が第１昇圧コンバータに対して並列に接続されている点と、リレー３８、第２サブバッテリ４６、第３ＳＭＲ３６が設けられていない点とが異なる。それ以外の構成については、図１に示す車両１００の構成と同様であるため、その詳細な説明は繰返さない。
【０１１０】
図６に示される車両１００においては、メインバッテリ４２の充電時に、第１ＳＭＲ３２が遮断状態から導通状態に切り換えられるとともに充電装置５０が作動し、第２ＳＭＲ３２の遮断状態が維持され、第１昇圧コンバータ２２および第２昇圧コンバータ２４の作動を停止した状態が維持される。メインバッテリ４２の充電完了時に、第１ＳＭＲ３２が導通状態から遮断状態に切り換えられるとともに充電装置５０の作動が停止させられる。
【０１１１】
また、第１サブバッテリ４４の充電時に、第２ＳＭＲ３４が遮断状態から導通状態に切り換えられるとともに、第１昇圧コンバータ２２、第２昇圧コンバータ２４および充電装置５０が作動し、第１ＳＭＲ３２の遮断状態が維持される。第１サブバッテリ４４の充電完了時に、第２ＳＭＲ３４が導通状態から遮断状態に切り換えられるとともに第１昇圧コンバータ２２、第２昇圧コンバータ２４および充電装置５０の作動が停止させられる。
【０１１２】
このような構成に対して、本実施の形態に係る発明を適用しても、図１を用いて説明した車両１００に適用した場合と同様の効果が発現する。そのため、その詳細な説明は繰返さない。
【０１１３】
また、図６に示される車両１００において、ＥＣＵ２００は、第１ＳＭＲ３２および第２ＳＭＲ３４をいずれも遮断状態から導通状態に切り換えるとともに、第１昇圧コンバータ２２、第２昇圧コンバータ２４および充電装置５０を作動させることによって、メインバッテリ４２と第１サブバッテリ４４を同時に充電するようにしてもよい。
【０１１４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１１５】
２，４  ＭＧ、１２，１４  インバータ、１６  平滑コンデンサ、２２，２４  昇圧コンバータ、３２，３４，３６  ＳＭＲ、３８  リレー、４２  メインバッテリ、４４，４６  サブバッテリ、５０  充電装置、５２  動力分割装置、５４  駆動輪、５６  エンジン、５８  制動装置、６０  外部電源、６２  充電プラグ、６４  スイッチ、６６  接続確認センサ、８４，８８，９２  電流センサ、８６，９０，９４  電圧センサ、１００  車両、１１０  ブレーキペダルポジションセンサ、１１２  ブレーキペダル、１１４  アクセルペダルポジションセンサ、１１６  アクセルペダル、１１８  シフトポジションセンサ、１２０  シフトレバー、１２２  ステアリングポジションセンサ、１２４  ステアリングホイール、２００  ＥＣＵ、３００  接続判定部、３０２  実行条件判定部、３０４  出荷用充電制御部、３０６  満充電制御部。
【図１】
0005621845.tif 000002
【図２】
0005621845.tif 000003
【図３】
0005621845.tif 000004
【図４】
0005621845.tif 000005
【図５】
0005621845.tif 000006
【図６】
0005621845.tif 000007